(57)【要約】【課題】送風機停止時の冷蔵室吐出ダクト内冷気逆流による着霜に関し、冷蔵室吐出ダクト内に着霜しにくくする冷蔵庫を提供することを目的とする。【解決手段】上部に冷凍室６、下部に冷蔵室７を備えた冷蔵庫において、冷凍室７の背面に配置された冷却器８と、冷却器８の前面に位置して送風機による冷気の風路を構成する断熱材からなるコイルカバー９と、コイルカバー９に備え冷蔵室７の冷気を手動で調節する冷気調節手段と、前記冷気調節手段の下方に繋がって配置した冷蔵室吐出ダクト１６とを備え、冷蔵室吐出ダクト１６に冷気逆流防止材を備えたことにより、送風機１４停止時に冷蔵室内の暖気と冷却室からの冷気の衝突を冷気逆流防止材により防ぐことができ、ダクト内の着霜を防ぐことができる。【選択図】図１
2018066497.tif 000002
【特許請求の範囲】
【請求項１】
上部に冷凍室、下部に冷蔵室を備えた冷蔵庫において、前記冷凍室の背面に配置された冷却器と、前記冷却器の前面に位置して送風機による冷気の風路を構成する断熱材からなるコイルカバーと、前記コイルカバーに備え冷蔵室の冷気を手動で調節する冷気調節手段と、前記冷気調節手段の下方に繋がって配置した冷蔵室吐出ダクトとを備え、前記冷蔵室吐出ダクトに冷気逆流防止材を備えた冷蔵庫。
【請求項２】
前記冷気逆流防止材は、冷蔵室吐出ダクト上流の一部を遮蔽する第一遮蔽材を備えた請求項１に記載の冷蔵庫。
【請求項３】
前記冷気逆流防止材は、冷蔵室吐出ダクト下流の一部を遮蔽する第二遮蔽材を備えた請求項２に記載の冷蔵庫。
【請求項４】
前記第一遮蔽材と前記第二遮蔽材とは左右対抗面から延びて、それぞれの端部は垂直方向でラップする請求項３に記載の冷蔵庫。
【請求項５】
冷蔵室吐出ダクトの吐出口は左右に分岐し、第二遮蔽部材の対抗面に左右に冷気を流すガイド部材を備えた請求項３または４に記載の冷蔵庫。
【発明の詳細な説明】
【技術分野】
【０００１】
本発明は、冷気ダクトを備えた冷蔵庫に関するものである。
【背景技術】
【０００２】
上部に冷凍室、下部に冷蔵室を備え、冷凍室背面の冷却器から冷蔵室へ冷気を送風する吐出ダクトに手動で冷気量（開口面積）を調整する冷蔵庫がある。
【０００３】
以下、図面を参照しながら、上記従来の冷蔵庫について説明する。（例えば、特許文献１参照）
以下、図面を参照しながら、上記従来の冷蔵庫について説明する。
【０００４】
図２は、従来の冷蔵庫の中央断面、図３は同冷蔵庫の正面図である
図２、３において、冷蔵庫本体１は、外箱２と内箱３並びに外箱２と内箱３間に充填された断熱材４とより構成されている。そして、本体内は仕切壁５により上下２室に区画され、上方を冷凍室６、下方を冷蔵室７としている。冷凍室６の奥面には上下方向に延びた冷却器８が配置されている。この冷却器８の前面には合成樹脂からなるコイルカバー９と、このコイルカバー９の前面に位置する合成樹脂からなるファンカバー１０が取り付けられている。ファンカバー１０は上方に冷気の吹出口１１を有すると共に下方に吸込口１２が形成されている。
【０００５】
そして、冷却器８で冷却された冷気を吹出口１１と、ファンカバー１０とコイルカバー９の間に形成され仕切壁５を貫通して冷蔵室７に至る風路１３から送風機１４により導かれている。尚冷蔵室７から冷気の戻り風路（図示せず）が仕切壁５に設けられている。ファンカバー１０とコイルカバー９の下方に挟んで取付けられた板状のシャッター（図示せず）は風路１３内で、左右方向に移動可能で、風路１３を流れる冷気の流量を手動で調整するものである。風路１３の冷蔵室７側の出口には冷蔵室への冷気を分配する冷蔵室吐出ダクト１１６が設けられている。
【先行技術文献】
【特許文献】
【０００６】
【特許文献１】特開平１−２０３８７７号公報
【発明の概要】
【発明が解決しようとする課題】
【０００７】
しかしながら、上記従来の冷蔵庫では、送風機停止時に冷蔵室庫内の湿気を含んだ暖気が冷蔵室吐出ダクト１１６内を逆流し、風路１３内で冷却室から風路１３を通り落ちてきた冷気と衝突して空気の淀みが生じ、それによって風路１３または冷蔵室吐出ダクト１１６内に着霜が生じるという課題を有していた。
【０００８】
本発明は上記従来の課題を解決するものであり、送風機停止時にダクト内が着霜しにくい冷蔵庫を提供することを目的とする。
【課題を解決するための手段】
【０００９】
上記従来の課題を解決するために、本発明の冷蔵庫は、上部に冷凍室、下部に冷蔵室を備えた冷蔵庫において、前記冷凍室の背面に配置された冷却器と、この冷却器の前面に位置して送風機による冷気の風路を構成する断熱材からなるコイルカバーと、前記コイルカバーに備え冷蔵室の冷気を手動で調節する冷気調節手段と、前記冷気調節手段の下方に繋
がって配置した冷蔵室吐出ダクトとを備え、前記冷蔵室吐出ダクトに冷気逆流防止材を備えた冷却器冷却器ものである。
【００１０】
これによって、送風機停止時に冷蔵室内の暖気と冷却室からの冷気の衝突を冷気逆流防止材により防ぐことができ、ダクト内の着霜を防ぐことができる。
【発明の効果】
【００１１】
本発明の冷蔵庫は、冷気逆流防止材を設けることによって抵抗をつくり暖気が上昇しないようにし、ダクト内の着霜を防止することによって信頼性の高い冷蔵庫を提供することができる。
【図面の簡単な説明】
【００１２】
【図１】本発明の実施の形態１における冷蔵庫の冷蔵室吐出ダクトを裏側から見た正面図
【図２】従来の冷蔵庫の中央断面図本
【図３】従来の冷蔵庫の正面図
【発明を実施するための形態】
【００１３】
請求項１に記載の発明は、上部に冷凍室、下部に冷蔵室を備えた冷蔵庫において、前記冷凍室の背面に配置された冷却器と、この冷却器の前面に位置して送風機による冷気の風路を構成する断熱材からなるコイルカバーと、前記コイルカバーに備え冷蔵室の冷気を手動で調節する冷気調節手段と、前記冷気調節手段の下方に繋がって配置した冷蔵室吐出ダクトとを備え、前記冷蔵室吐出ダクトに冷気逆流防止材を備えた冷却器冷却器ことにより、送風機停止時に冷蔵室内の暖気と冷却室からの冷気の衝突を冷気逆流防止材により防ぐことができ、ダクト内の着霜を防ぐことができる。
【００１４】
請求項２に記載の発明は、請求項１に記載の発明において、前記冷気逆流防止材は、冷蔵室吐出ダクト上流の一部を遮蔽する第一遮蔽材を備えたので、送風機停止時の冷蔵室内にある空気が吐出口の片側から上昇して逆流するのを防止できる。
【００１５】
請求項３に記載の発明は、請求項２に記載の発明において、前記冷気逆流防止材は、冷蔵室吐出ダクト下流の一部を遮蔽する第二遮蔽材を備えたので、送風機停止時の冷蔵室内にある空気が吐出口の両側から上昇して逆流するのを防止できる。
【００１６】
請求項４に記載の発明は、請求項３に記載の発明において、前記第一遮蔽材と前記第二遮蔽材とは左右対抗面から延びて、それぞれの端部は垂直方向でラップするものであり、送風機停止時の冷蔵室内にある空気が吐出口の両側から上昇して前記第一遮蔽材と前記第二遮蔽材の間を通り抜けて逆流するのを防止できる。
【００１７】
請求項５に記載の発明は、請求項３または４に記載の発明において、冷蔵室吐出ダクトの吐出口は左右に分岐し、第二遮蔽部材の対抗面に左右に冷気を流すガイド部材を備えたものであり、送風機稼動時に左右に冷気を均等に流すことができ、それによって庫内温度にばらつきが生じるのを防止できる。
【００１８】
以下、本発明の実施の形態について、図面を参照しながら説明する。なお、この実施の形態によってこの発明が限定されるものではない。
【００１９】
（実施の形態１）
図１は、本発明の実施の形態１における冷蔵庫の冷蔵室吐出ダクトを裏側から見た正面図である。なお、従来と同一構成部分については、同一符号を付して詳細な説明を省略す
る。
【００２０】
図１において、風路１３の冷蔵室７側の出口に設けられた冷蔵室吐出ダクト１６は、送風機１４が停止時に冷蔵室庫内の湿気を含んだ暖気が冷蔵室吐出ダクト１６内を逆流し、風路１３内で冷却室から風路１３を通り落ちてきた冷気と衝突して空気の淀みが生じないように冷気逆流防止材が設けられている。
【００２１】
具体的には、冷蔵室吐出ダクト１６内には、冷蔵室吐出ダクト風路２０を構成する発泡スチロール等で成形された成形断熱部材１９を有し、冷蔵室吐出ダクト風路２０の上流の一部を遮蔽するように成形断熱部材１９の側壁面から対向側壁面に向かって水平方向に突出した第一遮蔽材２１を備えている。
【００２２】
さらに、冷蔵室吐出ダクト１６内の冷蔵室吐出ダクト風路２０には、第一遮蔽材２１より下流で、冷蔵室吐出ダクト下流の一部を遮蔽するように、第一遮蔽材２１と対向する成形断熱部材１９の側壁面から対向側壁面に向かって水平方向に突出した第二遮蔽材２２を備えている。
【００２３】
そして、第一遮蔽材２１の先端部である第一遮蔽材端部２３と、第二遮蔽材２２の先端部である第二遮蔽材端部２４とは垂直方向でラップするように配置されている。
【００２４】
また、冷蔵室吐出ダクト風路２０の冷蔵室への吐出口となる最下流部は左右に分岐し、冷蔵室吐出口左２６と冷蔵室吐出口右２７を有している。
【００２５】
そして、第二遮蔽材２２によって屈曲した冷気の流れが、冷蔵室吐出口左２６と冷蔵室吐出口右２７とから偏って吐出することを抑制しながら均一化して吐出するために、第二遮蔽材２２の対抗面に冷気ガイド部材２５を備える。
【００２６】
以上のように構成された冷蔵庫について、以下その動作、作用を説明する。
【００２７】
冷却器８で冷却された冷気は、送風機１４により吹出口１１と、ファンカバー１０とコイルカバー９の間に形成され仕切壁５を貫通して冷蔵室７に至る風路１３に導かれる。吹出口１１から吐出された冷気は冷凍室６を冷却し、下方の吸込口１２から冷却器８に戻る。
【００２８】
また、風路１３の冷蔵室７側の出口に備えた冷蔵室吐出ダクト１６から冷蔵室７へ冷気が吐出される。冷蔵室７への冷気量はファンカバー１０とコイルカバー９の下方に挟んで取付けられた板状のシャッターにより風路１３での吐出開口面積が調整され、冷蔵室７は所定の温度に冷却される。
【００２９】
そして、送風機１４の停止時に冷蔵室７の庫内の湿気を含んだ暖気が冷蔵室吐出ダクト１６内を上昇するが、本実施の形態では、風路１３の冷蔵室７側の出口に設けられた冷蔵室吐出ダクト１６は、送風機１４が停止時に冷蔵室庫内の湿気を含んだ暖気が冷蔵室吐出ダクト１６内を逆流し、風路１３内で冷却室から風路１３を通り落ちてきた冷気と衝突して空気の淀みが生じないように冷気逆流防止材が設けられているので、ダクト１６内の着霜を防ぐことができる。
【００３０】
また、冷気逆流防止材として、冷蔵室吐出ダクト１６内には、冷蔵室吐出ダクト風路２０を構成する発泡スチロール等で成形された成形断熱部材１９を有し、冷蔵室吐出ダクト風路２０の上流の一部を遮蔽するように成形断熱部材１９の側壁面から対向側壁面に向かって水平方向に突出した第一遮蔽材２１を備えているので、送風機１４の停止時に冷蔵室
７の庫内の湿気を含んだ暖気が冷蔵室吐出ダクト１６内を上昇することを確実に抑制することができる。
【００３１】
また、冷蔵室吐出ダクト１６内の冷蔵室吐出ダクト風路２０には、第一遮蔽材２１より下流で、冷蔵室吐出ダクト下流の一部を遮蔽するように、第一遮蔽材２１と対向する成形断熱部材１９の側壁面から対向側壁面に向かって水平方向に突出した第二遮蔽材２２を備えているので、送風機１４の停止時に冷蔵室７の庫内の湿気を含んだ暖気が冷蔵室吐出ダクト１６内を上昇することをさらに確実に抑制することができる。
【００３２】
また、第一遮蔽材２１の先端部である第一遮蔽材端部２３と、第二遮蔽材２２の先端部である第二遮蔽材端部２４とは垂直方向でラップするように配置されているので、送風機１４の停止時に冷蔵室７の庫内の湿気を含んだ暖気が冷蔵室吐出ダクト１６内を上昇することをさらに確実に抑制することができる。
【００３３】
また、冷蔵室吐出ダクト風路２０の冷蔵室への吐出口となる最下流部は左右に分岐し、冷蔵室吐出口左２６と冷蔵室吐出口右２７を有し、第二遮蔽材２２によって屈曲した冷気の流れが、冷蔵室吐出口左２６と冷蔵室吐出口右２７とから偏って吐出することを抑制しながら均一化して吐出するために、第二遮蔽材２２の対抗面に冷気ガイド部材２５を備えているので、送風機１４稼動時に庫内左右に冷気を均等に流すことができ、庫内温度分布を改善しながら、送風機１４の停止時に冷蔵室７の庫内の湿気を含んだ暖気が冷蔵室吐出ダクト１６内を上昇することを抑制することができる。
【００３４】
なお、本実施の形態における冷気逆流防止材としての第一遮蔽材２１、第二遮蔽材２２はそれぞれ単独の構成でも、冷蔵室吐出ダクト１６内の着霜抑制効果を有している。
【産業上の利用可能性】
【００３５】
以上のように、本発明にかかる冷蔵庫は、ダクト内の着霜を防止できるので、同様な構成を有する業務用冷蔵庫等の用途にも適用できる。
【符号の説明】
【００３６】
１  冷蔵庫本体
２  外箱
３  内箱
４  断熱材
５  仕切壁
６  冷凍室
７  冷蔵室
８  冷却器
９  コイルカバー
１０  ファンカバー
１１  吹出口
１２  吸込口
１３  風路
１４  送風機
１５  シャッター
１６  冷蔵室吐出ダクト
１９  成形断熱部材
２０  冷蔵室吐出ダクト風路
２１  第一遮蔽材（冷気逆流防止材）
２２  第二遮蔽材（冷気逆流防止材）
２３  第一遮蔽材端部
２４  第二遮蔽材端部
２５  ガイド部材
２６  冷蔵室吐出口左
２７  冷蔵室吐出口右
【図１】
2018066497.tif 000003
【図２】
2018066497.tif 000004
【図３】
2018066497.tif 000005